(57)【特許請求の範囲】
【請求項１】
荷重を受けるための保形性を有した支持体を具備してなり、この支持体を、椅子の背もたれに保持される基部領域と、この基部領域に連続させて設けられ該基部領域よりも弾性変形し易く構成された変形領域とを備えたものにしてなり、
前記変形領域が、相互に独立して後方へ弾性変形可能な複数の弾性片を備えたものであることを特徴とするヘッドレスト。
【請求項２】
前記基部領域と前記変形領域とを一体に成形したものであり、この変形領域がスリットにより分断された複数の弾性片を備えたものである請求項１記載のヘッドレスト。
【請求項３】
前記各スリットが前記支持体の上縁に開放されたものであり、各段政変が片持梁的な構成を成している請求項２記載のヘッドレスト。
【請求項４】
少なくとも前記変形領域が、後方へ反るように湾曲したものである請求項１、２又は３記載のヘッドレスト。
【請求項５】
前記各スリットの上端に、他の部位よりも開口幅が狭い幅狭部を設けている請求項２又は３記載のヘッドレスト。
【請求項６】
前記基部領域を、取付機構を介して背もたれに取り付けている請求項１〜５のいずれかに記載のヘッドレスト。
【請求項７】
前記取付機構が、前記支持体の背もたれに対する取付角度を変更することができるように構成されたものである請求項６記載のヘッドレスト。
【請求項８】
前記支持体の外側に外装材を装着してなるものであって、この外装材の重合縫製部を収容するための凹み部を前記支持体に形成している請求項１〜７のいずれかに記載のヘッドレスト。
【発明の詳細な説明】
【０００１】
【発明の属する技術分野】
本発明は、椅子の背もたれに設けられるヘッドレストに関するものである。
【０００２】
【従来の技術】
従来、着座者にリラックスして椅子を使用してもらうために、椅子の背もたれ上部に着座者の頭部を支持させるヘッドレストを設ける場合がある。このヘッドレストは、面一状の平板により頭部の荷重を受けるための支持体を構成すると共に、この支持体をクッション材で覆うことが多い。そして、そのクッション材の弾力性を利用して平板である支持体の堅さを着座者に感じさせ無いようにしている。
【０００３】
【発明が解決しようとする課題】
しかし、このクッション材だけで着座者の満足がいく程度にまで弾力性を付与しようとすると、クッション材を相当厚くしなければならず、頭部がクッション材に埋まってしまい、かえって使用感を悪くしてしまうと共に、意匠的にも見苦しいものとならざるを得ない。一方、クッション材を適当な厚さに押さえようとすると、やはり支持体の堅さを感じてしまい頭部との当たり感触が悪くなってしまう。
【０００４】
【課題を解決するための手段】
そこで、本発明は上記問題点を解決するために、荷重を受けるための保形性を有した支持体を具備してなり、この支持体を、椅子の背もたれに保持される基部領域と、この基部領域に連続させて設けられ該基部領域よりも弾性変形し易く構成された変形領域とを備えたものにしてなり、前記変形領域が、相互に独立して後方へ弾性変形可能な複数の弾性片を備えたものであることを特徴とする。
【０００５】
このようなものであれば、クッション材を設けることなく支持体のみで適度の弾力性を得ることができ、更に、支持体自体を撓ませる構成としているため、簡易な製造工程によって適度な弾性力を得ることができるようになり、着座者に支持体の堅さを感じさせることなく、頭部との当たり感触のよいヘッドレストを提供することができるようになる。
【０００７】
更に、より簡易に製造するための具体的態様としては、前記基部領域と前記変形領域とを一体に成形したものであり、この変形領域がスリットにより分断された複数の弾性片を備えたものとすることが望ましい。
【０００８】
加えて、前記各スリットが前記支持体の上縁に開放されたものであり、各弾性片が片持梁的な構成とすることにより、より柔軟な支持体を形成できるようになる。
【０００９】
そして、後方への弾力性を増すためには、前記変形領域が、後方へ反るように湾曲したものとすることが望ましい。
【００１０】
更に、前記各スリットの上端に、他の部位よりも開口幅が狭い幅狭部を設けることにより、例えば、この支持体に外装材を設けた場合などにも、そのスリットの上端開放部分の形状に沿って外装材が凹凸することを防止できるようになる。
【００１１】
また、既存の椅子にも取り付ける構造とするために、前記基部領域を、取付機構を介して背もたれに取り付けることも考えられる。
【００１２】
更に、着座者の用途に応じて前記背もたれを前後傾させた場合にも、的確に頭部を支持するために、前記取付機構を支持体の背もたれに対する取付角度を変更することができる構成とすることも考えられる。
【００１３】
加えて、変形領域に設けたスリットを着座者に感じさせないための具体的態様としては、前記支持体の外側に外装材を装着して、この外装材の重合縫製部を収容するための凹み部を前記支持体に形成していることが望ましい。このような構成により、重合縫製部を凹み部に収容させて、外装材のもたつきを防止し、すっきりとした外観を構成することができるようになる。
【００１４】
【発明の実施の形態】
以下、本発明の一実施の形態を、図面を参照して説明する。
【００１５】
図１は、ヘッドレストＨを取り付けた椅子Ｉの側面図であり、図２は、その正面図である。
【００１６】
この本発明の一実施の形態に係る椅子Ｉは、椅子本体Ｂの背もたれ２に取付機構Ｔを介して着座者の頭部を支持するヘッドレストＨを取り付けたものである。
以下具体的な構成について詳述する。
【００１７】
椅子本体Ｂは、ベース脚１に背もたれ２及び座３を支持させてなるもので、図１に示すように、執務等に適した使用姿勢をとることができるのみならず、図３に示すように、安息やリフレッシュに適した姿勢等を適宜選択的にとることをも可能にするために、ベース脚１に、あるいはベース脚１と背もたれ２、座３等との間に、背座の高さ調整を行う昇降機構Ｐ、背もたれ２及び座３を連動させてロッキングさせるロッキング機構Ｑ、ストレッチ等のために背もたれ２の上方部分のみを後傾させる背もたれ２上部傾動機構Ｒ、並びに、腰骨を選択的に押圧するため等に利用される背もたれ２下部傾動機構Ｓを設けていることを大きな特長としている。
【００１８】
背もたれ２は、背もたれ下部フレーム２２と、背もたれ上部フレーム２１と、これら両フレーム２１、２２の間に図示しない弾性部材を介して架け渡した張り部材２３とを具備してなるものである。そして、図４に示すように、背もたれ２２の上端部分、即ち背もたれ上部フレーム２１の上端部分に、フレーム幅の中心線に対象となるような位置に、当該フレームを貫通する２つの貫通孔２４が開けられている。貫通孔２４は、当該上部フレーム２１と直交する方向に開口されており、ヘッドレストＨを取り付けるために利用される第一取付具６の挿入軸６１を挿入するための差込口として機能するものである。
【００１９】
ヘッドレストＨは、図４から図９に示すように、荷重を受けるための保形性を有した支持体４に、布製の外装材５を装着して構成されるものである。そして、前記椅子本体Ｂの上部に取り付けられて、着座者の頭部を適度な弾力性を持たせて支持するものである。
【００２０】
この支持体４は、図５に示すように、椅子Ｉの背もたれ２に保持される基部領域４１と、この基部領域４１に連続させて設けられ該基部領域４１よりも弾性変形し易く構成された変形領域４２とを、合成樹脂などの可撓性を有する材料により一体に成形したものである。また、その周縁部に後述する外装材５の縫い代となる重合縫製部５１を収納する凹み部４３を設けている。そして、この支持体４は、着座者の頭部を確実に支持する機能と、その頭部の荷重に合わせて適度な弾力性を発揮する機能を兼ね備えたものである。
【００２１】
基部領域４１は、この支持体４の下部領域に形成されるものであり、下端近傍部を僅かに肉厚のものとして、ヘッドレストＨにかかる荷重を支えている。そして、この基部領域４１には、支持体４の裏面を薄肉にへこませた軽量部４１１と、中心線に対して対照形を成す左右一対の取付部４１２を設けている。
【００２２】
軽量部４１１は、支持体４の背面側を開口した有底の凹み部で、軽量化および材料の節約を図っている。この軽量部４１１は、基部領域４１の下縁に対して平行に複数設けられている。
【００２３】
取付部４１２は、後述する取付機構Ｔを介してヘッドレストＨを椅子本体Ｂに取り付けるためのものであり、この取付部４１２に嵌め込まれる第二取付具７の形状に合わせて支持体４の背面を陥没させると共に、左右一対のネジ孔４１２ａを設けて構成している。
【００２４】
変形領域４２は、図５から図７に示すように、相互に独立して後方へ弾性変形可能な複数の弾性片４２１と、この弾性片４２１を分断するスリット４２２とからなり、図９に示すような後方へ反るように湾曲した形状を成している。
【００２５】
各弾性片４２１は、略同様の横幅を有する縦長形状を成しており、前記基部領域４１に対して片持梁的に支持されている。
【００２６】
スリット４２２は、図４、図５に示すように、その上縁４Ａを支持体４の上縁４Ａに開放する縦長形状を成しており、支持体４の表面から裏面にかけて変形領域４２を切り欠くことで前記弾性片４２１を分断するものである。また、左右両端部に位置するスリット４２２は、その間に設けたスリット４２２に比して長さが短いものである。更に、各スリット４２２の上端４２２ａに、他の部位よりも開口幅が狭い幅狭部４２２ｂを設けている
凹み部４３は、支持体４の上縁４Ａ及び左右両側縁近傍を裏面側からへこませることで、他の中央面よりも肉薄な領域を形成するものである。また、この凹み部４３の幅寸法は、外装材５の縫い代となる重合縫製部５１を収容できる寸法としている。
【００２７】
外装材５は、図８に示すように、前記支持体４の外側を覆うように装着されるものであって、２枚の布を縫い合わせて制作される。つまり、縫い代である重合縫製部５１を、当該外装材５を前記支持体４に装着した状態で支持体４の周縁となる位置に設け、２枚の布を縫い合わせて支持体４を包み込む袋状物を形成する。また、その裏面にファスナ５２を取り付けて、この外装材５を支持体４に対して着脱可能に取り付けられるようにしている。尚、その下端部の左右一対位置に図示しない開口部を設け、ヘッドレストＨを取り付けるため第一取付具６を挿入できるようにしている。
【００２８】
取付機構Ｔは、図４、図５に示すように、椅子本体Ｂの背もたれ２に取り付けられる第一取付具６と、ヘッドレストＨに取り付けられる第二取付具７と、この第一取付具６と第二取付具７との間に設けられる摩擦調整部８とから構成される。そして、この取付機構Ｔにより、前記ヘッドレストＨの基部領域４１を背もたれ２に取り付けると共に、第一取付具６と第二取付具７とを相対回動させることにより、背もたれ２に対するヘッドレストＨの取付角度αを変更することができるようにしている。
【００２９】
第一取付具６は、背もたれ２側に取り付けられるものであり、背もたれ２に設けた貫通孔２４に挿入される挿入軸６１と、この挿入軸６１の上端部に一体的に成形した軸受片６２とを具備する。
【００３０】
この挿入軸６１は、中空状のものであり、内周壁にネジ溝６１ａを形成している。そして、椅子本体Ｂの背もたれ上部フレーム２１に設けた貫通孔２４に、この挿入軸６１を挿入し、その後上部フレーム２１の下方よりネジ溝６１ａのボルトをねじ込み、背もたれ２に第一取付具６を固定するものである。
【００３１】
軸受片６２は、水平方向に貫通する軸孔６２ａを中央部に設けた薄板状のものであり、後述する第二取付具７に填め合わされて軸止めされるものである。
【００３２】
第二取付具７は、ヘッドレストＨの支持体４側に取り付けられるものであり、前記第一取付具６の軸受片６２を挟み込む一対の軸受片７２ｂを有する軸受部７１と、この軸受部７１の上部に設けた平板状の取付片７２とからなる。
【００３３】
この軸受部７１は、下向けコの字状を成し、下方を二股に分かれさせて一対の軸受片７１ｂを形成し、その軸受片７１ｂに水平方向に貫通する軸孔７１ａを開けているものである。
【００３４】
取付片７２は、前記ヘッドレストＨの基端部に設けた取付部４１２の凹みに合わせた略逆三角形状を成し、ヘッドレストＨの取付部４１２に開口させたネジ孔４１２ａに合わせた位置に左右一対のネジ孔７２ａを開口している。また、前記軸受部７１の前面及び左右側面との角部に、位置決め用の凸部７２ｄを前面方向に対して３カ所突出させている。そして、この取付片７２をヘッドレストＨの基端部に設けた取付部４１２に支持体４の裏面から嵌め合わせて位置決めし、その後それぞれに設けた左右一対のネジ孔４１２ａ、７２ａに皿ビスを止めることで両者を固定できるようにしている。
【００３５】
摩擦調整部８は、前記第一取付具６と第二取付具７とをボルト８２とナット８３を介して結合させる際に、両者の回動に伴う摩擦力を調整するためのものである。つまり、第一取付具６の軸受片６２を第二取付具７に設けた軸受部７１に差し込んだ際に、この軸受け片６２の外側面と軸受部７１の内側面との間に生じる両隙間に、各々薄い３枚のワッシャ８１を介在させた状態で、ボルト８２とナット８３により第一取付具６と第二取付具７とを結合させる。そして、このボルト８３の閉め具合により、前記第一取付具６と第二取付具７との間に相対回動に伴い生じる摩擦力を調整し、当該ヘッドレストＨの回動に必要な力を調整する。この摩擦力を適度に設定しておくことで、着座者が頭を載せたときにはヘッドレストＨは動かずにこれを支え、手で一定以上の力を加えたときにはヘッドレストＨの角度が調整できるようにする。
【００３６】
従って、椅子Ｉを図１に示す、執務等に適した前傾姿勢から、図３に示す、安息やリフレッシュに適した後傾姿勢に変更したい場合には、背もたれ２に対するヘッドレストＨの取付角度αを取付機構Ｔを利用して、適切な位置にヘッドレストＨを配置することができる。つまり、椅子Ｉの使用者がヘッドレストＨを回転させたい方向に対して十分大きな押力を加えることによってヘッドレストＨ３の角度を変えることができる。
【００３７】
以上詳述したように、本実施の形態においては、ヘッドレストＨを、荷重を受けるための保形性を有した支持体４を、椅子Ｉの背もたれ２に保持される基部領域４１と、この基部領域４１に連続させて設けられ該基部領域４１よりも弾性変形し易く構成された変形領域４２とを備えたものとすることにより、支持体４のみで当該ヘッドレストＨに適度な弾力性を持たせることができる。また、支持体４自体を撓ませる構成としているため、着座者に支持体４の堅さを感じさせることなく、頭部との当たり感触の良いヘッドレストＨを提供することができる。
【００３８】
また、前記変形領域４２に、相互に独立して後方へ弾性変形可能な複数の弾性片４２１を備えて弾性変形しやすく構成しているため、簡易な製造工程によって適度な弾力性を得ることができる。
【００３９】
更に、前記基部領域４１と前記変形領域４２とを一体に成形し、この変形領域４２をスリット４２２により分断された複数の弾性片４２１を備えたものとすることで、より簡易に支持体４を製造できる。
【００４０】
加えて、前記各スリット４２２が前記支持体４の上縁４Ａに開放されたものであり、各弾性片４２１が片持梁的な構成としていることで、より柔軟な支持体４を形成できる。
【００４１】
そして、前記変形領域４２を、後方へ反るように湾曲したものとしているため、後方への弾力性を相乗的に増すことができる。
【００４２】
加えて、前記各スリット４２２の上端４２２ａに、他の部位よりも開口幅が狭い幅狭部４２２ｂを設けているので、支持体４を覆う外装材５がそのスリット４２２の上端４２２ａ開放部分の形状の沿って凹凸することを防止できる。
【００４３】
また、前記基部領域４１を、取付機構Ｔを介して背もたれ２に取り付けることで、既存の椅子Ｉにも取り付ける構造とできる。
【００４４】
更に、前記取付機構Ｔを支持体４の背もたれ２に対する取付角度αを変更することができる構成としているため、着座者の用途に応じて前記背もたれ２を前後傾させた場合にも、的確に頭部を支持することができる。
【００４５】
加えて、前記支持体４の外側に外装材５を装着することで、変形領域４２に設けたスリット４２２を着座者に感じさせないようにできる。また、この外装材５の重合縫製部５１を収容するための凹み部４３を前記支持体４に形成しているため、重合縫製部５１を凹み部４３に収容させて、外装材５のもたつきを防止し、すっきりとした外観を構成することができる。
【００４６】
なお、本発明における構成は、以上説明したものに限定されないのは勿論である。その他の構成も本発明の趣旨を逸脱しない範囲で種々変形が可能である。
【００４７】
【発明の効果】
本発明は、以上説明したような構成で実施され以下に記載されるような効果を奏する。
【００４８】
すなわち、本発明は、ヘッドレストを、荷重を受けるための保形性を有した支持体を、椅子の背もたれに保持される基部領域と、この基部領域に連続させて設けられ該基部領域よりも弾性変形し易く構成された変形領域とを備えたものとすることにより、支持体のみで当該ヘッドレストに適度な弾力性を持たせることができる。また、支持体自体を撓ませる構成としているため、着座者に支持体の堅さを感じさせることなく、頭部との当たり感触の良いヘッドレストを提供することができる。
【００４９】
また、前記変形領域に、相互に独立して後方へ弾性変形可能な複数の弾性片を備えて弾性変形しやすく構成しているため、簡易な製造工程によって適度な弾力性を得ることができる。
【００５０】
更に、前記基部領域と前記変形領域とを一体に成形し、この変形領域をスリットにより分断された複数の弾性片を備えたものとすることで、より簡易に支持体を製造できる。
【００５１】
加えて、前記各スリットが前記支持体の上縁に開放されたものであり、各弾性片が片持梁的な構成としていることで、より柔軟な支持体を形成できる。
【００５２】
そして、前記変形領域を、後方へ反るように湾曲したものとしているため、後方への弾力性を相乗的に増すことができる。
【００５３】
加えて、前記各スリット４２２の上端４２２ａに、他の部位よりも開口幅が狭い幅狭部４２２ｂを設けているので、支持体４を覆う外装材５がそのスリット４２２の上端４２２ａ開放部分の形状の沿って凹凸することを防止できる。
【００５４】
また、前記基部領域を、取付機構を介して背もたれに取り付けることで、既存の椅子にも取り付ける構造とできる。
【００５５】
更に、前記取付機構を支持体の背もたれに対する取付角度を変更することができる構成としているため、着座者の用途に応じて前記背もたれを前後傾させた場合にも、的確に頭部を支持することができる。
【００５６】
加えて、前記支持体の外側に外装材を装着することで、変形領域に設けたスリットを着座者に感じさせないようにできる。また、この外装材の重合縫製部を収容するための凹み部を前記支持体に形成しているため、重合縫製部を凹み部に収容させて、外装材のもたつきを防止し、すっきりとした外観を構成することができる。
【図面の簡単な説明】
【図１】本発明の一実施の形態を示す側面図。
【図２】同実施の形態を示す正面図。
【図３】同実施の形態を示す側面図。
【図４】同実施の形態を示すヘッドレストを背もたれに取り付ける工程の斜視図。
【図５】同実施の形態を示す支持体の背面図。
【図６】同実施の形態を示す平面図。
【図７】同実施の形態を示す平面図。
【図８】同実施の形態を示すヘッドレストの背面図。
【図９】同実施の形態を示す側面拡大図。
【符号の説明】
２・・・背もたれ
４・・・支持体
４Ａ・・・上縁
５・・・外装材
４１・・・基部領域
４２・・・変形領域
４３・・・凹み部
５１・・・重合縫製部
４２１・・・弾性片
４２２・・・スリット
４２２ａ・・・上端
４２２ｂ・・・幅狭部
Ｉ・・・椅子
Ｈ・・・ヘッドレスト
Ｔ・・・取付機構
α・・・取付角度
【図１】
0004632606.tif 000002
【図２】
0004632606.tif 000003
【図３】
0004632606.tif 000004
【図４】
0004632606.tif 000005
【図５】
0004632606.tif 000006
【図６】
0004632606.tif 000007
【図７】
0004632606.tif 000008
【図８】
0004632606.tif 000009
【図９】
0004632606.tif 000010